(57)【要約】【課題】効率良く確実に通信相手と電話帳情報を統一化することが可能な通信システムを提供する。【解決手段】通信システムＳは、所有者情報が変更されたときに変更前所有者情報２１及び変更後所有者情報２２若しくは変更前所有者情報２１と変更後所有者情報２２との差分情報及び変更後所有者情報２２をｖＣａｒｄに変換してそのｖＣａｒｄを送信する送信側通信装置１と、受信したｖＣａｒｄから所有者情報を取り出すとともに所有者情報の変更箇所を判別してその取り出した所有者情報がＲＡＭ１２０に存在しないとき若しくはｖＣａｒｄに変更前所有者情報２１が存在しないときに変更後所有者情報２２をＲＡＭ１２０に記憶させ、取り出した所有者情報がＲＡＭ１２０に存在するときにその所有者情報の前記変更箇所のみをＲＡＭ１２０に記憶させる受信側通信装置１０１と、を備える。【選択図】図１
2014143521.tif 000002
【特許請求の範囲】
【請求項１】
所有者情報を記憶する第１記憶部、
前記所有者情報の変更が可能な操作部、
前記所有者情報を送信可能なファイルに変換する機能を有し、前記所有者情報が変更されたときに、変更前の前記所有者情報及び変更後の前記所有者情報、若しくは前記所有者情報の変更前と変更後との差分及び変更後の前記所有者情報、を前記ファイルに変換する第１変換部、
及び前記ファイルを送信する第１通信部、
を有する送信側通信装置と、
前記ファイルを受信する第２通信部、
受信した前記ファイルを前記所有者情報に変換する機能を有し、前記ファイルを受信したときに前記ファイルから、変更前の前記所有者情報及び変更後の前記所有者情報、若しくは前記所有者情報の変更前と変更後との差分、を取り出すとともに前記所有者情報の変更箇所を判別する第２変換部、
前記ファイルの前記所有者情報を電話帳情報として記憶する第２記憶部、
及び前記第２変換部が取り出した前記所有者情報が前記第２記憶部に存在しないとき若しくは前記ファイルに変更前の前記所有者情報が存在しないときに変更後の前記所有者情報を前記第２記憶部に記憶させ、前記第２変換部が取り出した前記所有者情報が前記第２記憶部に存在するときに前記所有者情報の前記変更箇所のみを前記第２記憶部に記憶させる解析部、
を有する受信側通信装置と、
を備えることを特徴とする通信システム。
【発明の詳細な説明】
【技術分野】
【０００１】
本発明は通信システムに関する。
【背景技術】
【０００２】
携帯電話など通信装置には通信相手の電話番号などの連絡先を登録した電話帳の機能を備えるものがある。電話帳に登録した通信相手の連絡先は、例えば迷惑メールを回避するためのメールアドレスの変更、引っ越しによる固定電話の電話番号や住所の変更、結婚による姓の変更など、相手の諸事情により変更が必要になることがある。
【０００３】
上記のような場合、通信装置を用いて自身の連絡先の変更を相手に通知することや相手からの変更通知を受けて自身の電話帳を更新することを手動で行うことが面倒であるという問題があった。このような問題を解決すべく提案された従来の通信装置が特許文献１に開示されている。
【０００４】
特許文献１に記載された従来の通信装置はアドレス帳（電話帳）の情報を特定形式のファイルに変換してメールデータに添付して送信したときに、そのファイルの送信履歴情報を作成して記憶する。そして、アドレス帳の情報が変更された場合、記憶する前記特定形式のファイルを更新するとともに、その更新後のファイルを前記送信履歴情報に基づいて過去に当該ファイルを送信した相手に自動送信する。これにより、面倒な作業を行うことなく、通信相手との間におけるアドレス帳の情報の統一化を図っている。
【先行技術文献】
【特許文献】
【０００５】
【特許文献１】特開２００２−３５１７８６号公報
【発明の概要】
【発明が解決しようとする課題】
【０００６】
しかしながら、上記従来の通信装置は送信側が電話帳の情報として記憶する電話番号やメールアドレス、住所などといった所有者情報のうち何を変更したのかという情報を送信しない。これにより、受信側は自身の電話帳に、受信した変更後の相手先の所有者情報を丸ごと上書きして記憶するか、既に記憶している相手先の所有者情報とは別の情報としてあらためて変更後の相手先の所有者情報を記憶する必要がある。
【０００７】
前者の場合、変更後の所有者情報に含まれていない情報を受信側が独自に記憶させていると、その独自に記憶させた情報が変更後の所有者情報の上書き記憶により勝手に消去される可能性がある。後者の場合、類似する所有者情報が電話帳に２つ存在することになり、結局受信側が手動で電話帳の重複する所有者情報を修正する手間が掛かることが懸念される。
【０００８】
本発明は、上記の点に鑑みなされたものであり、通信装置の電話帳情報に関して、相手が独自に電話帳に記憶させた所有者情報を勝手に消去したり、相手が受信した変更後の所有者情報を手動で修正する手間が掛かったりするといった不具合の発生を解消することができ、効率良く確実に通信相手と電話帳情報を統一化することが可能な通信システムを提供することを目的とする。
【課題を解決するための手段】
【０００９】
上記の課題を解決するため、本発明の通信システムは、所有者情報を記憶する第１記憶部、前記所有者情報の変更が可能な操作部、前記所有者情報を送信可能なファイルに変換する機能を有し、前記所有者情報が変更されたときに、変更前の前記所有者情報及び変更後の前記所有者情報、若しくは前記所有者情報の変更前と変更後との差分及び変更後の前記所有者情報、を前記ファイルに変換する第１変換部、及び前記ファイルを送信する第１通信部、を有する送信側通信装置と、前記ファイルを受信する第２通更信部、受信した前記ファイルを前記所有者情報に変換する機能を有し、前記ファイルを受信したときに前記ファイルから、変更前の前記所有者情報及び変更後の前記所有者情報、若しくは前記所有者情報の変更前と変更後との差分、を取り出すとともに前記所有者情報の変更箇所を判別する第２変換部、前記ファイルの前記所有者情報を電話帳情報として記憶する第２記憶部、及び前記第２変換部が取り出した前記所有者情報が前記第２記憶部に存在しないとき若しくは前記ファイルに変更前の前記所有者情報が存在しないときに変更後の前記所有者情報を前記第２記憶部に記憶させ、前記第２変換部が取り出した前記所有者情報が前記第２記憶部に存在するときに前記所有者情報の前記変更箇所のみを前記第２記憶部に記憶させる解析部、を有する受信側通信装置と、を備えることを特徴としている。
【発明の効果】
【００１０】
本発明の構成によれば、変更後の相手先の所有者情報を受信した受信側通信装置はその相手先の所有者情報が電話帳に既に存在するとき、所有者情報の変更箇所のみ記憶する。したがって、効率良く確実に通信相手と電話帳情報を統一化することが可能な通信システムを提供することができる。
【図面の簡単な説明】
【００１１】
【図１】本発明の実施形態の通信システムの概略構成図である。
【図２】本発明の実施形態の通信システムの送信側通信装置のブロック図である。
【図３】本発明の実施形態の通信システムの受信側通信装置のブロック図である。
【図４】本発明の実施形態の通信システムの所有者情報の一例を示す説明図である。
【図５】本発明の実施形態の通信システムが用いるｖＣａｒｄの一例を示す説明図である。
【図６】本発明の実施形態の通信システムの送信側通信装置のメール送信処理を示すフローチャートである。
【図７】本発明の実施形態の通信システムの受信側通信装置のメール受信処理を示すフローチャートである。
【発明を実施するための形態】
【００１２】
以下、本発明の実施形態を図１〜図７に基づき説明する。
【００１３】
最初に、本発明の実施形態の通信システムについて、図１〜図５を用いてその構成を説明する。図１は通信システムの概略構成図、図２は通信システムの送信側通信装置のブロック図、図３は通信システムの受信側通信装置のブロック図である。図４は通信システムの所有者情報の一例を示す説明図、図５は通信システムが用いるｖＣａｒｄの一例を示す説明図である。なお、図２及び図３では情報の送信と受信との各々の動作に関連する構成要素のみを記載しているが、双方の通信装置が送信機能と受信機能とを兼ね備えた装置であっても良い。
【００１４】
通信システムＳは、図１に示すように送信側通信装置１と、受信側通信装置１０１とを備える。通信システムＳは少なくとも２台の通信装置を備えるものであって、３台以上の通信装置で構成しても良い。また、図１には送信側通信装置１及び受信側通信装置１０１を携帯電話機として描画しているが、これらの通信装置が携帯電話機に限定されるわけではなく、固定電話機やファクシミリ装置、パソコンなどであっても良い。
【００１５】
送信側通信装置１は、図１及び図２に示すようにＣＰＵ２、操作部３、表示部４、通信部５（第１通信部）、ＲＯＭ１０、ＲＡＭ２０（第１記憶部）、及び不揮発メモリ３０を備える。
【００１６】
ＣＰＵ２は送信側通信装置１に組み込まれた構成要素の動作を制御する。例えば、ＲＯＭ１０、ＲＡＭ２０等に記憶、入力されたプログラム、データ、ファイルに基づき表示部３、通信部６などの構成要素を制御して各種処理を実行する。
【００１７】
操作部３は文字や数値などの入力、メニューやその他選択肢の選択、処理の実行やキャンセルなどの入力をユーザーが行うための構成要素である。送信側通信装置１のＣＰＵ２はユーザーによる操作部３の操作に基づきＲＯＭ１０、ＲＡＭ２０等に記憶されたプログラム、データ、ファイルに対して各種処理を実行したり、表示部４に対して表示処理を実行したりする。なお、操作部３は機械式に動作するキーを含むほか、表示部４にタッチパネルを構成しても良い。
【００１８】
表示部４は液晶ディスプレイなどで構成される。ＣＰＵ２は実行されるプログラムの処理に基づき表示部４にアイコンやメニュー、入力ウィンドウなどを表示させる。また、ＣＰＵ２はユーザーによる操作部３の操作に基づきユーザーが入力した文字、数値などや、ユーザーが選択したメニュー、その他選択肢の結果などを表示部４に表示させる。
【００１９】
通信部５は他の通信装置との間で通話を行ったり、電子メール等の情報の送信、受信を行ったりするための構成要素であって、例えばアンテナを含む。通信部５は携帯電話網を用いて音声やパケットを送信、受信する。
【００２０】
ＲＯＭ１０は送信側通信装置１の動作に必要なプログラム、データ、ファイルを記憶した読み出し専用メモリである。ＲＯＭ１０は所有者情報管理部１１、情報変換部１２（第１変換部）、メール編集部１３、及びメール送信部１４を例えばプログラムとして備える。
【００２１】
所有者情報管理部１１はＲＡＭ２０に記憶された所有者情報を管理するプログラムである。所有者情報管理部１１は後述する変更前所有者情報２１及び変更後所有者情報２２（図４参照）を個別に管理する。
【００２２】
情報変換部１２はＲＡＭ２０に記憶された所有者情報を例えば電子メールに添付して送信可能なファイルに変換するプログラムである。このファイルとしては例えばｖＣａｒｄ（図５参照）が利用される。ｖＣａｒｄは電子名刺の標準フォーマットであり、例えば名前、住所、電話番号、メールアドレスの情報を含む。
【００２３】
メール編集部１３は電子メールの編集、表示等を行うプログラムである。メール編集部１３はユーザーによる操作部３の操作に基づき電子メールの編集を行ったり、電子メールを表示部４に表示させたりする。
【００２４】
メール送信部１４は電子メールを他の通信装置に対して送信するプログラムである。メール送信部１４は通信部５を介して電子メールを送信する。
【００２５】
ＲＡＭ２０は送信側通信装置１の動作に必要なプログラム、データ、ファイルを記憶した読み書き可能なメモリである。ＲＡＭ２０は変更前所有者情報２１、変更後所有者情報２２、自動送信フラグ２３、自動送信宛先２４、及び電話帳情報２５を備える。
【００２６】
送信側通信装置１は、図４に示すその所有者情報をＲＡＭ２０に記憶している。この所有者情報は通常、変更後所有者情報２２として記憶される。変更後所有者情報２２が操作部３及び表示部４を用いてユーザーに変更されると、ＣＰＵ２は所有者情報管理部１１を用いて変更される前の所有者情報である変更前所有者情報２１と変更された後の所有者情報である変更後所有者情報２２とを個別に管理する。
【００２７】
自動送信フラグ２３はユーザーが所定の操作を行ったときに自動送信を実行するか否かを指令するための変数であり、ユーザーにより予め設定される。自動送信宛先２４は自動送信を実行する相手先通信装置の宛先（メールアドレス等）であり、電話帳情報２５の相手先情報に基づきユーザーにより予め設定される。自動送信フラグ２３として自動送信を実行する設定がなされている場合、送信側通信装置１はユーザーが所定の操作を行うと自動的に自動送信宛先２４として設定された宛先に電子メール等を送信する。
【００２８】
電話帳情報２５は送信側通信装置１のユーザーの相手先の情報を複数の人数分記憶する。相手先の情報としては例えば名前、住所、電話番号、メールアドレスの情報を含む。
【００２９】
不揮発メモリ３０はＲＯＭ１０及びＲＡＭ２０とは別個の記憶装置であり、例えば送信側通信装置１に内蔵されるＦＬＡＳＨメモリ、若しくは送信側通信装置１に対して着脱可能なｍｉｃｒｏＳＤカードといった外部記憶装置で構成される。不揮発メモリ３０にはＲＡＭ２０に記憶したプログラム、データ、ファイルをコピー、移動することができる。
【００３０】
上記構成の送信側通信装置１はユーザーにより所有者情報が変更されたときに、その変更内容を自動的に電話帳情報２５に記憶した特定の相手に送信することができる。
【００３１】
すなわち、ＣＰＵ２は所有者情報が変更されたことを検知すると、情報変換部１２に所定の指令を送る。情報変換部１２は変更前所有者情報２１及び変更後所有者情報２２、若しくは変更前所有者情報２１と変更後所有者情報２２との差分情報及び変更後所有者情報２２を図５に示すｖＣａｒｄに変換する。自動送信フラグ２３として自動送信を実行する設定がなされている場合、ＣＰＵ２は所有者情報が変換されたこのｖＣａｒｄを電子メールに添付し、自動送信宛先２４として設定された宛先に自動的に送信する。
【００３２】
受信側通信装置１０１は、図１及び図３に示すようにＣＰＵ１０２、操作部１０３、表示部１０４、通信部１０５（第２通信部）、ＲＯＭ１１０、ＲＡＭ１２０（第２記憶部）、及び不揮発メモリ１３０を備える。
【００３３】
なお、ＣＰＵ１０２、操作部１０３、表示部１０４、通信部１０５、及び不揮発メモリ１３０は送信側通信装置１のＣＰＵ２、操作部３、表示部４、通信部５、及び不揮発メモリ３０とそれぞれ構成及び動作が同じであるので、ここでは説明を省略する。
【００３４】
ＲＯＭ１１０は受信側通信装置１０１の動作に必要なプログラム、データ、ファイルを記憶した読み出し専用メモリである。ＲＯＭ１１０は電話帳管理部１１１、情報変換部１１２（第２変換部）、所有者情報解析部１１３、及びメール受信部１１４をプログラムとして備える。
【００３５】
電話帳管理部１１１はＲＡＭ１２０に記憶された電話帳情報１２４を管理するプログラムである。
【００３６】
情報変換部１１２はメール受信部１１４が受信した電子メールに添付されたファイル、例えばｖＣａｒｄを所有者情報に変換して取り出すプログラムである。所有者情報解析部１１３は情報変換部１１２が取り出した所有者情報を解析するプログラムである。
【００３７】
メール受信部１１４は電子メールを他の通信装置から受信するプログラムである。メール受信部１１４は通信部１０５を介して電子メールを受信する。
【００３８】
ＲＡＭ１２０は受信側通信装置１０１の動作に必要なプログラム、データ、ファイルを記憶した読み書き可能なメモリである。ＲＡＭ１２０はｖＣａｒｄ１２２を含む受信メールデータ１２１、自動登録フラグ１２３、及び電話帳情報１２４を備える。
【００３９】
受信側通信装置１０１は通信部１０５を介して電子メールを受信すると、その電子メールを受信メールデータ１２１としてＲＡＭ１２０に記憶する。電子メールに添付されたｖＣａｒｄ１２２も一緒にＲＡＭ１２０に記憶される。
【００４０】
自動登録フラグ１２３は相手先の所定の所有者情報を受信したときにその相手先所有者情報を電話帳情報として自動登録するか否かを指令するための変数であり、ユーザーにより予め設定される。自動登録フラグ１２３として自動登録を実行する設定がなされている場合、受信側通信装置１０１は相手先から所定の所有者情報を受信すると自動的にその相手先所有者情報を電話帳情報１２４としてＲＡＭ１２０に記憶する。
【００４１】
上記構成の受信側通信装置１０１は電子メールに添付された相手先の所定の所有者情報を受信したときに、その相手先所有者情報を自動的に電話帳情報１２４として記憶することができる。
【００４２】
すなわち、ＣＰＵ１０２は電子メールに添付されたｖＣａｒｄ１２２を受信すると、情報変換部１１２に所定の指令を送る。情報変換部１１２はｖＣａｒｄ１２２を所有者情報に変換して取り出す。このとき、情報変換部１１２は変更前所有者情報２１及び変更後所有者情報２２、若しくは変更前所有者情報２１と変更後所有者情報２２との差分情報を取り出すとともに所有者情報の変更箇所を判別する。
【００４３】
続いて、ＣＰＵ１０２は所有者情報解析部１１３に所定の指令を送る。所有者情報解析部１１３はｖＣａｒｄ１２２に変更前所有者情報２１が存在しないとき若しくは情報変換部１１２が取り出した所有者情報に対応する相手先がＲＡＭ１２０に存在しないときに変更後所有者情報２２を電話帳情報１２４としてＲＡＭ１２０に記憶させ、ｖＣａｒｄ１２２に変更前所有者情報２１が存在し、情報変換部１１２が取り出した所有者情報に対応する相手先がＲＡＭ１２０の電話帳情報１２４に存在するときにその所有者情報の前記変更箇所のみを更新してＲＡＭ１２０に記憶させる。
【００４４】
上記のような通信システムＳにおける通信相手との電話帳情報の統一化に係る処理について、図６及び図７に示すフローに沿って説明する。図６は通信システムＳの送信側通信装置１のメール送信処理を示すフローチャート、図７は通信システムＳの受信側通信装置１０１のメール受信処理を示すフローチャートである。
【００４５】
送信側通信装置１において所有者情報が変更されると（図６のスタート）、ＣＰＵ２は所有者情報管理部１１を用いて変更された後の所有者情報である変更後所有者情報２２をＲＡＭ２０に記憶する（ステップ＃１０１）。次に、ＣＰＵ２は変更前所有者情報２１を更新するか否かを判定する（ステップ＃１０２）。
【００４６】
ユーザーが変更前所有者情報２１の更新を希望する場合（ステップ＃１０２のＹｅｓ）には変更前所有者情報２１を更新する（ステップ＃１０３）。ユーザーが変更前所有者情報２１の更新を希望しない場合（ステップ＃１０２のＮｏ）にはそのままステップ＃１０４に進む。
【００４７】
次に、ＣＰＵ２は自動送信フラグ２３が有効か否かを判定する（ステップ＃１０４）。自動送信フラグ２３が無効である場合（ステップ＃１０４のＮｏ）、変更後所有者情報２２を通信相手に送信することなく送信側通信装置１のメール送信処理を終了する（図６のエンド）。
【００４８】
自動送信フラグ２３が有効である場合（ステップ＃１０４のＹｅｓ）、ＣＰＵ２は情報変換部１２に変更前所有者情報２１と変更後所有者情報２２との差分情報及び変更後所有者情報２２を１個のｖＣａｒｄに変換させる（ステップ＃１０５）。
【００４９】
次に、ＣＰＵ２はメールプログラム（メール編集部１３）を起動し（ステップ＃１０６）、ステップ＃１０５で得たｖＣａｒｄを電子メールに添付する（ステップ＃１０７）。次に、ＣＰＵ２は宛先であるメールアドレスを電子メールに追加する（ステップ＃１０８）。このメールアドレスは自動送信宛先２４として設定した自動送信を実行する相手先通信装置の宛先である。
【００５０】
次に、ＣＰＵ２はメール送信部１４を用いて通信部５を介して電子メールを送信する（ステップ＃１０９）。そして、送信側通信装置１のメール送信処理を終了する（図６のエンド）。このようにして、送信側通信装置１はユーザーにより所有者情報が変更されたときに、その変更内容を自動的に電話帳情報２５に記憶した特定の相手に送信する。
【００５１】
続いて、受信側通信装置１０１が電子メールを受信すると（図７のスタート）、ＣＰＵ１０２は自動登録フラグ１２３が有効か否かを判定する（ステップ＃２０１）。自動登録フラグ１２３が無効である場合（ステップ＃２０１のＮｏ）、仮に変更後所有者情報２２が添付された電子メールを受信したとしてもそれを電話帳情報１２４に記憶することなく受信側通信装置１０１のメール受信処理を終了する（図７のエンド）。
【００５２】
自動登録フラグ１２３が有効である場合（ステップ＃２０１のＹｅｓ）、ＣＰＵ１０２は電子メールにｖＣａｒｄ１２２が添付されているか否かを判定する（ステップ＃２０２）。電子メールにｖＣａｒｄ１２２が添付されていない場合（ステップ＃２０２のＮｏ）、その後所有者情報の変更に係る処理を行うことなく受信側通信装置１０１のメール受信処理を終了する（図７のエンド）。
【００５３】
電子メールにｖＣａｒｄ１２２が添付されている場合（ステップ＃２０２のＹｅｓ）、ＣＰＵ１０２は情報変換部１１２にｖＣａｒｄ１２２を所有者情報に変換して取り出す指令を送る（ステップ＃２０３）。このとき、情報変換部１１２は変更前所有者情報２１及び変更後所有者情報２２、若しくは変更前所有者情報２１と変更後所有者情報２２との差分情報を取り出すとともに所有者情報の変更箇所を判別する。
【００５４】
次に、ＣＰＵ１０２は所有者情報解析部１１３を用いてｖＣａｒｄ１２２に変更前所有者情報２１が存在するか否かを判定する（ステップ＃２０４）。ｖＣａｒｄ１２２に変更前所有者情報２１が存在しない場合（ステップ＃２０４のＮｏ）、ＣＰＵ１０２は変更後所有者情報２２を電話帳情報１２４としてＲＡＭ１２０に記憶させる（ステップ＃２０５）。そして、受信側通信装置１０１のメール受信処理を終了する（図７のエンド）。
【００５５】
ｖＣａｒｄ１２２に変更前所有者情報２１が存在する場合（ステップ＃２０４のＹｅｓ）、ＣＰＵ１０２は変更前所有者情報２１に対応する相手先を姓、名で電話帳情報１２４から検索する（ステップ＃２０６）。
【００５６】
次に、ＣＰＵ１０２は受信した変更前所有者情報２１と同一の相手先が電話帳情報１２４に記憶済みで存在するか否かを判定する（ステップ＃２０７）。電話帳情報１２４に変更前所有者情報２１と同一の相手先が存在しない場合（ステップ＃２０７のＮｏ）、ＣＰＵ１０２は変更後所有者情報２２を電話帳情報１２４としてＲＡＭ１２０に記憶させる（ステップ＃２０５）。そして、受信側通信装置１０１のメール受信処理を終了する（図７のエンド）。
【００５７】
電話帳情報１２４に変更前所有者情報２１と同一の相手先が存在する場合（ステップ＃２０７のＹｅｓ）、ＣＰＵ１０２は所有者情報の変更箇所である変更前所有者情報２１と変更後所有者情報２２との差分情報を前記同一の相手先に反映させて電話帳情報１２４としてＲＡＭ１２０に記憶させる（ステップ＃２０８）。そして、受信側通信装置１０１のメール受信処理を終了する（図７のエンド）。このようにして、受信側通信装置１０１は電子メールに添付された相手先の所定の所有者情報を受信したときに、その相手先所有者情報を自動的に電話帳情報１２４として記憶する。
【００５８】
上記のように、通信システムＳは、送信側通信装置１と、受信側通信装置１０１とを備える。送信側通信装置１は所有者情報を記憶するＲＡＭ２０、所有者情報の変更が可能な操作部３、所有者情報を送信可能なｖＣａｒｄに変換する機能を有し、所有者情報が変更されたときに変更前所有者情報２１及び変更後所有者情報２２若しくは変更前所有者情報２１と変更後所有者情報２２との差分情報及び変更後所有者情報２２をｖＣａｒｄに変換する情報変換部１２、及びｖＣａｒｄを送信する通信部５、を有する。受信側通信装置１０１はｖＣａｒｄを受信する通信部１０５、受信したｖＣａｒｄを所有者情報に変換する機能を有し、ｖＣａｒｄを受信したときにｖＣａｒｄから変更前所有者情報２１及び変更後所有者情報２２、若しくは変更前所有者情報２１と変更後所有者情報２２との差分情報を取り出すとともに所有者情報の変更箇所を判別する情報変換部１１２、ｖＣａｒｄの所有者情報を電話帳情報１２４として記憶するＲＡＭ１２０、及び情報変換部１１２が取り出した所有者情報がＲＡＭ１２０に存在しないとき若しくはｖＣａｒｄに変更前所有者情報２１が存在しないときに変更後所有者情報２２を電話帳情報１２４としてＲＡＭ１２０に記憶させ、情報変換部１１２が取り出した所有者情報がＲＡＭ１２０に存在するときにその所有者情報の前記変更箇所のみをＲＡＭ１２０に記憶させる所有者情報解析部１１３、を有する。これにより、送信側通信装置１はユーザーにより所有者情報が変更されたときに、その変更内容を自動的に電話帳情報２５に記憶した特定の相手に送信することができる。さらに、受信側通信装置１０１は電子メールに添付された相手先の所定の所有者情報を受信したときに、その相手先所有者情報を自動的に電話帳情報１２４として記憶することができる。
【００５９】
そして、本発明の上記実施形態の構成によれば、変更後の相手先の所有者情報を受信した受信側通信装置１０１はその相手先の所有者情報が電話帳情報１２４として既にＲＡＭ１２０に存在するとき、所有者情報の変更箇所のみ記憶する。したがって、効率良く確実に通信相手と電話帳情報を統一化することが可能な通信システムＳを提供することができる。
【００６０】
以上、本発明の実施形態につき説明したが、本発明の範囲はこれに限定されるものではなく、発明の主旨を逸脱しない範囲で種々の変更を加えて実施することができる。
【産業上の利用可能性】
【００６１】
本発明は通信システムにおいて利用可能である。
【符号の説明】
【００６２】
Ｓ    通信システム
１    送信側通信装置
２    ＣＰＵ
３    操作部
５    通信部（第１通信部）
１０    ＲＯＭ
１２    情報変換部（第１変換部）
２０    ＲＡＭ（第１記憶部）
２１    変更前所有者情報
２２    変更後所有者情報
２５    電話帳情報
１０１    受信側通信装置
１０２    ＣＰＵ
１０５    通信部（第２通信部）
１１０    ＲＯＭ
１１２    情報変換部（第２変換部）
１１３    所有者情報解析部（解析部）
１２０    ＲＡＭ（第２記憶部）
１２２    ｖＣａｒｄ（ファイル）
１２４    電話帳情報
【図１】
2014143521.tif 000003
【図２】
2014143521.tif 000004
【図３】
2014143521.tif 000005
【図４】
2014143521.tif 000006
【図５】
2014143521.tif 000007
【図６】
2014143521.tif 000008
【図７】
2014143521.tif 000009